(57)【特許請求の範囲】
【請求項１】
ブレーキ本体と、該ブレーキ本体に取り付けたブレーキシューと、該ブレーキシューをブレーキ輪から離しておく引戻手段と、前記ブレーキシューを前記ブレーキ輪に押し付ける機械的押付要素とを含むトラクションシーブエレベータ用保持ブレーキにおいて、
該保持ブレーキは、前記ブレーキ本体と前記ブレーキシューとの間に配置した中間フレームを含み、前記押付要素は、該中間フレームを押し付け、
該保持ブレーキは、前記中間フレームと前記ブレーキシューとの間に調整要素を含み、前記ブレーキシューと前記ブレーキ輪との間のエアギャップを調整する際に、前記中間フレームに対する前記ブレーキシューの相対的な位置を調整することができることを特徴とするトラクションシーブエレベータ用保持ブレーキ。
【請求項２】
請求項１に記載の保持ブレーキにおいて、前記ブレーキシューは、前記ブレーキ輪の運動方向に伸びる湾曲したブレーキ面を含むことを特徴とするトラクションシーブエレベータ用保持ブレーキ。
【請求項３】
請求項２に記載の保持ブレーキにおいて、前記ブレーキシューの長手方向に見たときに、前記調整要素は、前記ブレーキシューの中央部の異なる側に、好ましくは前記ブレーキシューの端部の近くに位置することを特徴とするトラクションシーブエレベータ用保持ブレーキ。
【請求項４】
請求項１から３までのいずれかに記載の保持ブレーキにおいて、前記調整要素は、調整バネと、該調整バネの押付けに抗して前記ブレーキシューを前記中間フレームの方へ引っ張る締付要素とを含むことを特徴とするトラクションシーブエレベータ用保持ブレーキ。
【請求項５】
請求項１から３までのいずれかに記載の保持ブレーキにおいて、前記調整要素は、１組の調整シムのセットと、該調整シムのセットによって決定される位置まで、前記中間フレームに対して相対的に前記ブレーキシューを締め付ける締付手段とを含むことを特徴とするトラクションシーブエレベータ用保持ブレーキ。
【請求項６】
請求項１から５までのいずれかに記載の保持ブレーキにおいて、前記ブレーキシューが前記ブレーキ本体に対して回転することを防ぐために、前記ブレーキ本体と前記ブレーキシューとを、ガイド要素を介して一つに連結されることを特徴とするトラクションシーブエレベータ用保持ブレーキ。
【請求項７】
請求項６に記載の保持ブレーキにおいて、前記ガイド要素は、前記ブレーキ本体から外部に向かって延びる差し口と、前記ブレーキシュー内の穴とを含み、該穴は前記差し口と適合することを特徴とするトラクションシーブエレベータ用保持ブレーキ。
【請求項８】
請求項１から７までのいずれかに記載の保持ブレーキにおいて、前記引戻手段は電磁石であることを特徴とするトラクションシーブエレベータ用保持ブレーキ。
【請求項９】
請求項８に記載の保持ブレーキにおいて、前記電磁石は円形リングであり、前記押付要素および前記ガイド要素は前記電磁石の中心軸上に、実質的に連続して配置されることを特徴とするトラクションシーブエレベータ用保持ブレーキ。
【発明の詳細な説明】
【０００１】
【発明の属する技術分野】
本発明は、ブレーキ本体と、ブレーキ本体に取り付けたブレーキシューと、ブレーキシューをブレーキ輪から離しておく引戻手段と、ブレーキシューをブレーキ輪に押し付ける機械的押付手段とを含むトラクションシーブエレベータ用保持ブレーキに関するものである。
【０００２】
【従来の技術】
保持ブレーキの機能は、エレベータを階に静止させておくとともに、エレベータカーを止め、もしくは停電時にエレベータカーが動くことを防ぐことである。従って、保持ブレーキのブレーキ動作は、バネなどの機械的押付要素に基づいている。この要素は、外部の力が要素に作用しないときに、ブレーキをかみ合わせておく。カーが階に到着するたびに、およびカーが階を離れるたびに保持ブレーキを動作させるときに、エレベータの使用者がブレーキの動作に気がつかないようにブレーキの動作は、できる限り早く、正確に、そして静かでなければならない。この理由から、ブレーキ動作を可能な限りすばやく行い、そしてブレーキシューの衝撃エネルギーをできるだけ低くし、さらにブレーキが可能な限り静かに掛かるように、トラクションシーブと保持ブレーキのブレーキシューとの間、もしくは、別個にブレーキ輪があるときはブレーキ輪と当該保持ブレーキのブレーキシューとの間のエアギャップは、可能な限り狭くなければならない。他方、ブレーキシューとブレーキ面との間には一定のエアギャップが必要であること、およびブレーキシューがブレーキ面に、すり傷を作ると、エレベータの走行中に好ましくない騒音が生じることになるため、ブレーキシューがブレーキ面にすり傷を作ってはいけないことに注意すべきである。
【０００３】
【発明が解決しようとする課題】
トラクションエレベータにおいて現在使われている保持ブレーキ、例えば通常のスライドブレーキでは、ブレーキレバー装置のベアリングの許容公差、および構造のゆがみによって、ブレーキ動作の精度が悪くなり、このために、保持ブレーキには比較的大きいエアギャップを使うことが必要になる。従って、ブレーキシューの必要な移動量や、ブレーキシューを駆動する部品の必要な移動量が大きく、この移動を実行するためには比較的大きくて高価な部品が必要になり、さらに、大きいエアギャップのためにブレーキ動作によって、比較的大きな音がする衝撃が生じる。特に、ブレーキを解放するときのブレーキシューの移動距離が長いために、ブレーキを解放するために使われる電磁石は比較的大きくて高価である。
【０００４】
本発明の目的は、上述の欠点を解消することである。本発明の目的は具体的には、トラクションエレベータ用の新しいタイプの保持ブレーキを開示することである。このブレーキは動作が正確であるとともに早くて静かであり、調整が容易である。そして、より小さく、より軽く、かつ、より安い部品を用いて、このブレーキを実現することができる。
【０００５】
【課題を解決するための手段】
本発明の特徴については特許請求の範囲を参照する。
【０００６】
本発明に係わるトラクションシーブエレベータ用保持ブレーキは、ブレーキ本体と、ブレーキ本体に取り付けたブレーキシューとを含む。さらに、保持ブレーキは、機械的押付要素を含み、この要素は、バネもしくは等価な物であり、ブレーキシューをブレーキ輪に押し付けてブレーキ輪の回転を止める。保持ブレーキは、また引戻手段を含む。ブレーキが動作していないときに、すなわちカーが移動しているときに、引戻手段はブレーキシューを引いて、ブレーキシューをブレーキ輪から離しておく。引戻手段として使われる要素は、一般的には電磁石である。しかし、他の機械装置、電気装置、液圧装置、もしくは同等の装置を用いてもよい。
【０００７】
本発明によれば、保持ブレーキは中間フレームを含み、中間フレームを、ブレーキ本体とブレーキシューとの間に配置し、押付要素が中間フレームを押し付ける。さらに、保持ブレーキは中間フレームとブレーキシューとの間に調整要素を含み、ブレーキシューとブレーキ輪との間のエアギャップが正確に所望の幅を維持するように、中間フレームに対するブレーキシューの位置を調整することを可能にする。このように本発明に係わる保持ブレーキにおいては、電磁的押付けもしく機械的押付けによってブレーキシューと中間フレームがブレーキの動作時に一つの堅い組立品のように一緒に移動するように、ブレーキシューと中間フレームとを調整要素によって一つに結合する。ブレーキシューとブレーキ輪との間のエアギャップを調整しなければならないときにのみ、中間フレームとブレーキシューとを、相手に対して相対的に移動させ、もしくは調整する。このように、本発明に係わる保持ブレーキは、固定されて静止しているブレーキ本体を有し、エアギャップの調整は、ブレーキ内部のブレーキ部品間の内部的な調整として行われる。
【０００８】
ブレーキシューのブレーキ面が、ブレーキ輪のリムに沿ってブレーキ輪のブレーキ面と比較的長い接触面を持つように、ブレーキシューのブレーキ面が、ブレーキ輪の運動方向に湾曲した形状の細長いものであることが好ましい。このときに保持ブレーキは中間フレームとブレーキシューとの間に、ブレーキシューの中央部の両側に配置した２個の調整要素を含むことが好ましい。２個の調整要素は、ブレーキシューの両端に比較的近いところに配置することが好ましい。
【０００９】
ブレーキシューと調整フレームとの間の調整要素には調整バネと締付要素を用いることが好ましい。締付要素は、調整バネの押付けに逆らって、ブレーキシューを中間フレームの方へ引っ張る。この結果、中間フレームとブレーキシューとの間の結合部にはすき間がなく、中間フレームとブレーキシューとの間の動きが正確になる。
【００１０】
他の実施例では、調整要素を、１パックの調整シムと締付手段とを用いて実現して、１個以上の調整シムからなる全体の厚さが適切であるパックを調整要素内に形成するようにする。そして中間フレームとブレーキシューを互いに、調整要素を用いて締め付ける。このようにして中間フレームとブレーキシューを相対的に、調整シムのパックによって決定される位置に配置する。
【００１１】
ブレーキ輪に対して正しい方向にかつ正しい位置に正確にブレーキシューを保持しておくために、保持ブレーキは、ブレーキ本体とブレーキシューとの間に配置された適切なガイド、レール、ピン、穴もしくは同等物を含むことが好ましい。これらのガイド要素は、ブレーキ面相互間に垂直方向に圧縮し合う動きのみを可能にする。
【００１２】
【発明の実施の形態】
次に添付図面を参照して本発明を詳細に説明する。
【００１３】
図に示すトラクションシーブ用保持ブレーキはブレーキ本体１を含み、この本体はブレーキフレーム17、すなわち頑丈なブラケットを有する。ブラケットによって保持ブレーキを、例えばエレベータモータのフレームもしくは何か他の適切な固定部に取り付けることができる。ブレーキ本体は、丸い円盤状のリングを含み、環状の電磁石４がリングに埋め込まれている。電磁石はブレーキ本体の実質的に下部平面上に配置し、かつブレーキ本体の内部に向かって配置する。ブレーキ本体の下部平面に押し付けて、実質的に環状の中間フレーム７を配置する。中間フレームの下に湾曲形状の細長いブレーキシュー２がある。ブレーキを使うときは、ブレーキ輪５にブレーキシューを押し付ける。ブレーキが動作していないときは、ブレーキシュー２とブレーキ輪５との間にはエアギャップ３がある。
【００１４】
中間フレーム７とブレーキシュー２を、細長いブレーキシューの端部の近くに位置する調整要素８によって互いに結合する。調整要素８は調整バネ９と、締付要素10すなわち締付ねじとを含む。調整バネの押しは、ブレーキシューと中間フレームとを互いに離そうとする。締付要素10によって、ブレーキシューと中間フレームは、調整ねじ９のバネ力に抗して互いの方へと引き寄せられる。このようにブレーキシューと中間フレームとの間の運動は常に正確であり、遊びがない。図１の実施例に使われている調整ねじ９は円盤状のバネセットであり、これによって、大きい力密度と小さいサイズとを達成可能にする。しかし、例えば螺旋ねじもしくは適切な圧縮可能な材料を用いることも可能である。
【００１５】
円盤状のブレーキ本体１の中央部には動力伝達軸14がある。ブレーキ本体１上の動力伝達軸14の周りには押付要素６、すなわち円盤バネセットがある。このバネセットの下部端部は、伝達軸の肩部15に置かれている。ここには、円盤バネの代わりに、他のタイプのバネ要素を使うこともできる。このように肩部15を介して押付要素６は伝達軸を下方のブレーキシュー２の方へ押す。軸14の肩部の下に段16があり、段は中間フレームの上面に押し付けられている。このようにして、軸14が下方に押されると、軸は中間フレームを押し、中間フレームと一緒になってブレーキシューをブレーキ輪５に押し付ける。
【００１６】
ブレーキシュー２と軸14は、ガイド要素11を介して互いに結合している。ガイド要素は、軸14の下部端部にある差し口と、ブレーキシュー２内の穴13とからなる。このように、軸の端部にある差し口がブレーキシュー内の穴13の中にあり、かつ軸14をブレーキ本体１に堅く据え付けて軸14はブレーキ本体１内を垂直にのみスライドできるため、ガイド要素11はブレーキシューをしっかりと所定の位置に保持して、ブレーキシューが振れたり回転したりすることを防ぎ、ブレーキ動作の方向に正確にブレーキ運動することのみを可能とする。すなわち、軸14は、差し口12を介してブレーキシュー２からブレーキトルクを受け、滑り軸受31,32 を介してブレーキ本体１から支持モーメントを受ける。この結果、滑り軸受31,32 およびガイド要素の寸法公差を小さくすることができ、構造のゆがみが大変小さいため、ブレーキシューは実質的に横方向に移動することができない。もちろん、大きな横方向の支持体を構造物が必要としないように、ブレーキシューの湾曲形状によってブレーキシューの移動をガイドするとともに安定化させている。しかし、ブレーキトルクを保持ブレーキの本体に伝達しているものが、軸14と、軸の端部の差し口12と、穴13であるから、これらの要素が頑丈で、かつ遊びのないことが重要である。軸14と、軸の差し口および軸つばと、上部肩部15と、下部肩部16とは、１つの連続体を形成することが好ましい。滑り軸受31が軸14と、ブレーキ本体内の雌ねじに係合するねじ部33との間に水平に位置するように、ブレーキ本体１と軸14との間の滑り軸受31,31 を配置する。押付要素６を形成する円盤バネセットの押付けを調整するために、ねじ部33を使うことができる。これと同時に、ねじ部33を、ブレーキ輪にブレーキシュー２を押し付ける力を調整するために使うことができる。
【００１７】
図１に示す保持ブレーキは、さらに強制解放機能を含む。この機能により、停電時にブレーキを解放することが可能になる。これは、軸の上端にオイル空間18と、このオイル空間に通じるオイルニップル19とを設けることにより実行する。このようにニップル19を介してオイルを供給することにより、軸14を引き上げるとともにこれによってブレーキシュー２を引き上げる液圧を生成する。オイル空間からはブリーダ30を介して放出する。
【００１８】
図２は、図１と比べて調整要素８が異なる別の実施例を示す。この調整要素では、１組の調整シムのセット、もしくはこのセットから必要に応じて選んだ１つの調整シム20を用いる。調整シムは、ブレーキシュー２と中間フレーム７との間の調整要素の位置に配置する。この後、ブレーキシューと中間フレームを相互に、締付要素21を用いて締め付ける。従って、調整シム20がブレーキシューの位置を決定し、この結果、ブレーキシューとブレーキ輪との間のエアギャップの幅も決定する。
【００１９】
図３は、本発明に係わる保持ブレーキを実際に適用した例を示す。このブレーキは二重エレベータ機械に取り付けられ、二重エレベータ機械は、１つの軸上に大きな共通トラクションシーブ23の両側に設けられた２つの永久磁石モータを有するものである。この例では、図１に示す保持ブレーキを２個、それぞれの保持フレーム17を用いて連結する。モータフレーム22を相互にしっかりと結び付けて取り付けるための手段として、ブレーキ本体１を用いる。従って、ブレーキ部品の調整を、ブレーキ本体１やブレーキフレーム17の位置とは独立に行うという本発明の基本的な考えが不可欠である。
【００２０】
以上、本発明を、添付図面を利用して例を用いて説明した。しかし、本発明のさまざまな実施例が、特許請求の範囲によって規定される本発明の概念の範囲内で可能である。
【００２１】
【発明の効果】
従来技術と比較すると、本発明の保持ブレーキは顕著な利点を有する。本発明に係わる構造のおかげで、大変狭いエアギャップを有する適切に機能するブレーキを実現する。ブレーキ輪はトラクションシーブから成ることとしてもよい。トラクションシーブは比較的、直径が大きいからである。小さなエアギャップと有利な直径比の結果として、より小さな磁石と、より小さなブレーキ部品を用いることができ、価格が、より安くなる。長くて幅の狭いブレーキシューと、ブレーキシューの端部の調整ねじによって、ブレーキ輪の表面と正確に係合するようにブレーキシューを正確に制御することができ、効果的にブレーキ動作を行う。調整要素が直接ブレーキシューに作用するため、通常のスライドブレーキと違って、ブレーキレバー機構の軸受の寸法公差や構造のゆがみがブレーキ動作に影響しない。さらに、エアギャップが小さいということは、ブレーキシューの衝撃エネルギーが低いということを意味するため、ブレーキの閉動作が従来のブレーキよりも静かである。その上、長いブレーキシューが２個の調整要素しか必要としないため、ブレーキを調整することが大変容易である。
【図面の簡単な説明】
【図１】本発明によるトラクションシーブエレベータ用保持ブレーキの、一部を断面で示す説明図である。
【図２】図１の保持ブレーキの詳細図である。
【図３】二重機構とともに用いる本発明の第３の実施例の説明図である。
【符号の説明】
１  ブレーキ本体
２  ブレーキシュー
３  エアギャップ
４  電磁石
５  ブレーキ輪
６  押付要素
７  中間フレーム
８  調整要素
９  調整バネ
10  締付要素
11  ガイド要素
【図１】
0004316731.tif 000002
【図２】
0004316731.tif 000003
【図３】
0004316731.tif 000004